【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
記録媒体に記録されたデータストリームを再生する再生装置であって、
前記データストリームは、ユーザデータを符号化することによって得られる第１の誤り訂正符号と、制御情報を符号化することによって得られる第２の誤り訂正符号と、同期信号とを含み、前記第１の誤り訂正符号は、第１の訂正能力を有し、前記第２の誤り訂正符号は、前記第１の訂正能力よりも高い第２の訂正能力を有し、前記データストリーム中では、前記第１の誤り訂正符号に対して、前記第２の誤り訂正符号と前記同期信号とが交互にインターリーブされており、
前記再生装置は、
前記データストリームから２値化データを生成する再生部と、
前記２値化データを前記第１の誤り訂正符号および前記第２の誤り訂正符号に復調する復調部であって、前記同期信号の検出結果を生成する同期信号検出手段を含む、復調部と、
前記復調部から出力された前記第１の誤り訂正符号および前記第２の誤り訂正符号における誤りを検出し、前記誤りの訂正を行う誤り訂正部と
を備え、
前記誤り訂正部は、前記第１の誤り訂正符号に対し、前記第２の誤り訂正符号の誤り訂正結果または前記同期信号の検出結果に基づいて消失訂正のための消失フラグを生成する消失フラグ生成手段と、前記消失フラグを用いて消失訂正を行う消失訂正手段とを含み、
前記同期信号検出手段が予測したタイミングと異なるタイミングで前記同期信号を検出した場合、前記消失フラグ生成手段は、前記同期信号より前記データストリームの上流側の前記第１の誤り訂正符号の構成シンボルに前記消失フラグを設定する、再生装置。
【請求項２】
記録媒体に記録されたデータストリームを再生する再生装置であって、
前記データストリームは、ユーザデータを符号化することによって得られる第１の誤り訂正符号と、制御情報を符号化することによって得られる第２の誤り訂正符号と、同期信号とを含み、前記第１の誤り訂正符号は、第１の訂正能力を有し、前記第２の誤り訂正符号は、前記第１の訂正能力よりも高い第２の訂正能力を有し、前記データストリーム中では、前記第１の誤り訂正符号に対して、前記第２の誤り訂正符号と前記同期信号とが交互にインターリーブされており、
前記再生装置は、
前記データストリームから２値化データを生成する再生部と、
前記２値化データを前記第１の誤り訂正符号および前記第２の誤り訂正符号に復調する復調部であって、前記同期信号の検出結果を生成する同期信号検出手段を含む、復調部と、
前記復調部から出力された前記第１の誤り訂正符号および前記第２の誤り訂正符号における誤りを検出し、前記誤りの訂正を行う誤り訂正部と
を備え、
前記誤り訂正部は、前記第１の誤り訂正符号に対し、前記第２の誤り訂正符号の誤り訂正結果または前記同期信号の検出結果に基づいて消失訂正のための消失フラグを生成する消失フラグ生成手段と、前記消失フラグを用いて消失訂正を行う消失訂正手段とを含み、
前記同期信号検出手段が予測したタイミングと異なるタイミングで前記同期信号を検出し、前記同期信号より１つだけ前記データストリームの上流側の前記第２の誤り訂正符号の構成シンボルに誤りを検出した場合、前記消失フラグ生成手段は、前記同期信号より上流の前記第１の誤り訂正符号の構成シンボルに前記消失フラグを設定する、再生装置。
【請求項３】
記録媒体に記録されたデータストリームを再生する再生装置であって、
前記データストリームは、ユーザデータを符号化することによって得られる第１の誤り訂正符号と、制御情報を符号化することによって得られる第２の誤り訂正符号と、同期信号とを含み、前記第１の誤り訂正符号は、第１の訂正能力を有し、前記第２の誤り訂正符号は、前記第１の訂正能力よりも高い第２の訂正能力を有し、前記データストリーム中では、前記第１の誤り訂正符号に対して、前記第２の誤り訂正符号と前記同期信号とが交互にインターリーブされており、
前記再生装置は、
前記データストリームから２値化データを生成する再生部と、
前記２値化データを前記第１の誤り訂正符号および前記第２の誤り訂正符号に復調する復調部であって、前記同期信号の検出結果を生成する同期信号検出手段を含む、復調部と、
前記復調部から出力された前記第１の誤り訂正符号および前記第２の誤り訂正符号における誤りを検出し、前記誤りの訂正を行う誤り訂正部と
を備え、
前記誤り訂正部は、前記第１の誤り訂正符号に対し、前記第２の誤り訂正符号の誤り訂正結果または前記同期信号の検出結果に基づいて消失訂正のための消失フラグを生成する消失フラグ生成手段と、前記消失フラグを用いて消失訂正を行う消失訂正手段とを含み、
前記同期信号検出手段が予測したタイミングと異なるタイミングで前記同期信号を検出し、前記同期信号より１つだけ前記データストリームの上流側の前記第２の誤り訂正符号の構成シンボルに誤りを検出しなかった場合、前記消失フラグ生成手段は、前記第２の誤り訂正符号の構成シンボルから前記同期信号までの間の前記第１の誤り訂正符号の構成シンボルに前記消失フラグを設定する、再生装置。
【請求項４】
ユーザデータを符号化することによって得られる第１の誤り訂正符号と、制御情報を符号化することによって得られる第２の誤り訂正符号と、同期信号とを含むデータストリームが記録された記録媒体であって、前記第１の誤り訂正符号は第１の訂正能力を有し、前記第２の誤り訂正符号は前記第１の訂正能力よりも高い第２の訂正能力を有し、前記データストリーム中では、前記第１の誤り訂正符号に対して、前記第２の誤り訂正符号と前記同期信号とが交互にインターリーブされている、記録媒体に記録された前記データストリームを再生する再生装置であって、
前記データストリームから２値化データを生成する再生部と、
前記２値化データを前記第１の誤り訂正符号および前記第２の誤り訂正符号に復調する復調部であって、前記同期信号の検出結果を生成する同期信号検出手段を含む、復調部と、
前記復調部から出力された前記第１の誤り訂正符号および前記第２の誤り訂正符号における誤りを検出し、前記誤りの訂正を行う誤り訂正部と、を備え、
前記誤り訂正部は、前記第１の誤り訂正符号に対し、前記第２の誤り訂正符号の誤り訂正結果または前記同期信号の検出結果に基づいて消失訂正のための消失フラグを生成する消失フラグ生成手段と、前記消失フラグを用いて消失訂正を行う消失訂正手段とを含み、前記同期信号検出手段は、前記同期信号の検出タイミングからクロックおよび再生されたビット数を計数し、この計数結果から次の同期信号の検出タイミングを予測する再生装置。
【請求項５】
ユーザデータを符号化することによって得られる第１の誤り訂正符号と、制御情報を符号化することによって得られる第２の誤り訂正符号と、同期信号とを含むデータストリームが記録された記録媒体であって、前記第１の誤り訂正符号は第１の訂正能力を有し、前記第２の誤り訂正符号は前記第１の訂正能力よりも高い第２の訂正能力を有し、前記データストリーム中では、前記第１の誤り訂正符号に対して、前記第２の誤り訂正符号と前記同期信号とが交互にインターリーブされている記録媒体に記録された前記データストリームを再生する再生装置に使用する誤り訂正回路であって、
前記第１の誤り訂正符号に対し、前記第２の誤り訂正符号の誤り訂正結果または前記同期信号の検出結果に基づいて消失訂正のための消失フラグを生成する消失フラグ生成手段と、前記消失フラグを用いて消失訂正を行う消失訂正手段とを備える、誤り訂正回路。
【請求項６】
前記同期信号検出手段が予測したタイミングと異なるタイミングで前記同期信号を検出した場合、前記消失フラグ生成手段は、前記同期信号より前記データストリームの上流側の前記第１の誤り訂正符号の構成シンボルに前記消失フラグを設定する、請求項５に記載の誤り訂正回路。
【請求項７】
前記同期信号検出手段が予測したタイミングと異なるタイミングで前記同期信号を検出し、前記同期信号より１つだけ前記データストリームの上流側の前記第２の誤り訂正符号の構成シンボルに誤りを検出した場合、前記消失フラグ生成手段は、前記同期信号より上流の前記第１の誤り訂正符号の構成シンボルに前記消失フラグを設定する、請求項５に記載の誤り訂正回路。
【請求項８】
前記同期信号検出手段が予測したタイミングと異なるタイミングで前記同期信号を検出し、前記同期信号より１つだけ前記データストリームの上流側の前記第２の誤り訂正符号の構成シンボルに誤りを検出しなかった場合、前記消失フラグ生成手段は、前記第２の誤り訂正符号の構成シンボルから前記同期信号までの間の前記第１の誤り訂正符号の構成シンボルに前記消失フラグを設定する、請求項５に記載の誤り訂正回路。
【請求項９】
前記同期信号検出手段は、前記同期信号の検出タイミングからクロックおよび再生されたビット数を計数し、この計数結果から次の同期信号の検出タイミングを予測する、請求項６〜８のいずれかに記載の誤り訂正回路。
【請求項１０】
ユーザデータを符号化することによって得られる第１の誤り訂正符号と、制御情報を符号化することによって得られる第２の誤り訂正符号と、同期信号とを含むデータストリームが記録された記録媒体であって、前記第１の誤り訂正符号は第１の訂正能力を有し、前記第２の誤り訂正符号は前記第１の訂正能力よりも高い第２の訂正能力を有し、前記データストリーム中では、前記第１の誤り訂正符号に対して、前記第２の誤り訂正符号と前記同期信号とが交互にインターリーブされている、記録媒体に記録された前記データストリームを再生する再生装置であって、
前記データストリームから２値化データを生成する再生部と、
前記２値化データを前記第１の誤り訂正符号および前記第２の誤り訂正符号に復調する復調部であって、前記同期信号の検出結果を生成する同期信号検出手段を含む、復調部と、
前記復調部から出力された前記第１の誤り訂正符号および前記第２の誤り訂正符号における誤りを検出し、前記誤りの訂正を行う誤り訂正部と、を備え、
前記誤り訂正部は、前記第１の誤り訂正符号に対し、前記第２の誤り訂正符号の誤り訂正結果または前記同期信号の検出結果に基づいて消失訂正のための消失フラグを生成する消失フラグ生成手段と、前記消失フラグを用いて消失訂正を行う消失訂正手段とを含み、前記同期信号は、再生時に再生されたパターンと記録されているはずのパターンとの一致を検出することで機能する、再生装置。
【請求項１１】
第１の情報を符号化することによって得られる第１の誤り訂正符号と、第２の情報を符号化することによって得られる第２の誤り訂正符号と、同期信号とを含むデータストリームが記録された記録媒体であって、前記第１の誤り訂正符号は第１の訂正能力を有し、前記第２の誤り訂正符号は前記第１の訂正能力よりも高い第２の訂正能力を有し、前記データストリーム中では、前記第１の誤り訂正符号に対して、前記第２の誤り訂正符号と前記同期信号とが交互にインターリーブされ、
前記第１の誤り訂正符号および前記第２の誤り訂正符号は、Ｒｅｅｄ−Ｓｏｌｏｍｏｎ符号を用いて符号化される、記録媒体。
【請求項１２】
第１の情報を符号化することによって得られる第１の誤り訂正符号と、第２の情報を符号化することによって得られる第２の誤り訂正符号と、同期信号とを含むデータストリームが記録された記録媒体であって、前記第１の誤り訂正符号は第１の訂正能力を有し、前記第２の誤り訂正符号は前記第１の訂正能力よりも高い第２の訂正能力を有し、前記データストリーム中では、前記第１の誤り訂正符号に対して、前記第２の誤り訂正符号と前記同期信号とが交互にインターリーブされ、前記第２の情報はアドレス情報を含む、記録媒体。
【請求項１３】
請求項１１または１２に記載の記録媒体に記録されたデータストリームを再生する再生装置。
【請求項１４】
請求項１１または１２に記載の記録媒体に記録されるデータストリームを再生し、前記データストリームに含まれる情報に基づいて記録を行う記録装置。
【請求項１５】
情報記録媒体を再生する再生装置／方法、又は、前記再生の指示を行う再生制御装置／方法／プログラムであって、
前記情報記録媒体は、第１の情報を符号化することによって得られる第１の誤り訂正符号と、第２の情報を符号化することによって得られる第２の誤り訂正符号と、同期信号とを含むデータストリームが記録された記録媒体であって、前記第１の誤り訂正符号は第１の訂正能力を有し、前記第２の誤り訂正符号は前記第１の訂正能力よりも高い第２の訂正能力を有し、前記データストリーム中では、前記第１の誤り訂正符号に対して、前記第２の誤り訂正符号と前記同期信号とが交互にインターリーブされており、
前記データストリームの再生を指示する再生制御装置／方法／プログラム、又は前記指示に基づき前記データストリームを再生する再生装置／方法。
【請求項１６】
情報記録媒体に記録を行う記録装置／方法、又は前記記録の指示を行う記録制御装置／方法／プログラムであって、
前記情報記録媒体は、第１の情報を符号化することによって得られる第１の誤り訂正符号と、第２の情報を符号化することによって得られる第２の誤り訂正符号と、同期信号とを含むデータストリームが記録された記録媒体であって、前記第１の誤り訂正符号は第１の訂正能力を有し、前記第２の誤り訂正符号は前記第１の訂正能力よりも高い第２の訂正能力を有し、前記データストリーム中では、前記第１の誤り訂正符号に対して、前記第２の誤り訂正符号と前記同期信号とが交互にインターリーブされており、
前記データストリームの再生を指示し、前記データストリームに含まれる情報に基づいて記録を指示する記録制御装置／方法／プログラム、又は、
前記再生の指示に基づき前記データストリームを再生し、前記記録の指示に基づき記録を行う記録装置／方法。